(57)【要約】【課題】本考案は、軽量で、ボード類を取り付けたままの運搬移動が容易であり、不使用時の占有面積が小さいという諸機能を有するボード支持用脚体を提供する。【解決手段】本考案のボード支持用脚体は、上辺１１、アジャスタ１５付きの両側辺１２ａ、１２ｂを有するボード支持用パイプ枠部２と、上辺２１、キャスタ２４付きの両側辺２２ａ、２２ｂを有し、ボード支持用パイプ枠部２の両側辺１２ａ、１２ｂに対して上辺両隅部を回動可能に連結した補助パイプ枠部３と、補助パイプ枠部３の両側辺２２ａ、２２ｂに対して後端両側を回動可能に連結し、中央に設けたスライド用溝部３２にボード支持用パイプ枠部２の両側辺１２ａ、１２ｂ間に架設した中継パイプ１３を挿通してスライド可能とし、先端側にボード受部３３及び粉受兼ペン受３４を具備し、後端側にボード受辺３５を突設した回動ボード支持板４と、補助パイプ枠部３の上辺２１にベルト６を介して取り付けたボード固定用フック部５とを有するものである。【選択図】図１
0003107455.tif 000002
【実用新案登録請求の範囲】
【請求項１】
上辺と両側辺を有するボード支持用パイプ枠部と、
上辺と両側辺を有し、底部にキャスタを備え、前記ボード支持用パイプ枠部に対して回動可能に連結した補助パイプ枠部と、
ほぼ直方体板状に形成され、前記補助パイプ枠部に対して後端両側を回動可能に連結するとともに、中央部を前記ボード支持用パイプ枠部間に架設した中継パイプに対してスライド可能に取り付け、先端側にボード受部を、後端側にボード受辺を突設した回動ボード支持板と、
を有することを特徴とするボード支持用脚体。
【請求項２】
上辺とアジャスタ付きの両側辺を有する矩形状のボード支持用パイプ枠部と、
上辺とキャスタ付きの両側辺を有し、前記ボード支持用パイプ枠部の両側辺に対して上辺両隅部を回動可能に連結した矩形状の補助パイプ枠部と、
ほぼ直方体板状に形成され、前記補助パイプ枠部の両側辺に対して後端両側を回動可能に連結し、中央に設けたスライド用溝部に前記ボード支持用パイプ枠部の両側辺間に架設した中継パイプを挿通してスライド可能とし、先端側にボード受部及び粉受兼ペン受を具備し、前記後端側にボード受辺を突設した回動ボード支持板と、
前記補助パイプ枠部の上辺にベルトを介して取り付けたボード固定用フック部と、
を有することを特徴とするボード支持用脚体。
【請求項３】
上辺とアジャスタ付きの両側辺を有する矩形状のボード支持用パイプ枠部と、
上辺とキャスタ付きの両側辺を有し、前記ボード支持用パイプ枠部の両側辺に対して上辺両隅部を回動可能に連結した矩形状の補助パイプ枠部と、
ほぼ直方体板状に形成され、前記補助パイプ枠部の両側辺に対して後端両側をヒンジ部を介して回動可能に連結し、中央に設けたスライド用溝部に前記ボード支持用パイプ枠部の両側辺間に架設した中継パイプを挿通してスライド可能とし、先端側にボード受部及び粉受兼ペン受を具備し、前記後端側にボード受辺を突設し、上面にシボ加工を施した回動ボード支持板と、
前記補助パイプ枠部の上辺中央部にベルトを介して取り付けたロゴマーク表示部を備えシボ加工を施したボード固定用フック部と、
を有することを特徴とするボード支持用脚体。
【考案の詳細な説明】
【技術分野】
【０００１】
本考案は、ホワイトボード、黒板等のボード類を支持するボード支持用脚体に関するものである。
【背景技術】
【０００２】
ホワイトボード、黒板、電子黒板等の矩形状のボード類の底部や背面部を支持し、その表面をペン等で筆記し易く、且つ、見易い状態とするボード支持用脚体が従来種々提案され、実用に供されている。
しかし、従来のボード支持用脚体は重量が大きく移動に不便であったり、不使用時の占有スペースも大きい等取り扱い性面や、保管面で十分に満足できる機能を具備していないのが実情である。
【０００３】
特許文献１には、キャスタ付きの足及び支柱を具備する左右一対の脚と、これらを連結するステーとを有し、前記各支柱を分割可能とした構成で、前記両支柱の上部にボード類（電子黒板等）を取り付けるようにした筆記ボード用スタンドが提案されている。
【０００４】
しかし、この特許文献１の筆記ボード用スタンドの場合、左右一対の脚は分割可能であるものの、分割状態では最早ボード類を支持することはできず、従ってこの筆記ボード用スタンドは、スタンドを使用する都度組み立てを行い、不使用時、保管時には分解作業が必要という煩雑性を有する者である。
【０００５】
特許文献２には、ボード類（電子黒板）を上部で支持するとともに、ボード類の幅寸法に応じて伸縮可能であり、且つ、折り畳み可能な一対のＵ状の脚部を有するスタンドを備えた電子黒板装置が提案されている。
【０００６】
しかし、この特許文献２の電子黒板装置におけるスタンドの場合、Ｕ状の脚部はキャスタを具備していないため、ボード類を支持したまま移動する際には全体重量が大きいことから、移動操作の点で不便である。
【特許文献１】特開平１１−１９２７９７号公報
【特許文献２】特開平５−１６５９１号公報
【考案の開示】
【考案が解決しようとする課題】
【０００７】
解決しようとする問題点は、軽量で、ボード類を取り付けたままの運搬移動が容易であり、不使用時の占有面積が小さいという諸機能を有するボード支持用脚体が存在しない点である。
【課題を解決するための手段】
【０００８】
本考案のボード支持用脚体は、上辺、両側辺を有するボード支持用パイプ枠部と、上辺、両側辺を有し、底部にキャスタを備え、前記ボード支持用パイプ枠部に対して回動可能に連結した補助パイプ枠部と、ほぼ直方体板状に形成され、前記補助パイプ枠部に対して後端両側を回動可能に連結するとともに、中央部を前記ボード支持用パイプ枠部間に架設した中継パイプに対してスライド可能に取り付け、先端側にボード受部を、後端側にボード受辺を突設した回動ボード支持板とを有することを最も主要な特徴とする。
【考案の効果】
【０００９】
本考案によれば、以下の効果を奏する。
請求項１記載の考案によれば、ボード支持用パイプ枠部と、補助パイプ枠部と、回動ボード支持板というパイプ枠組を主体とした構成で軽量に構成でき、回動ボード支持板のボード受部、ボード受辺により使用時、不使用時の双方においてボード類を支持することができ、底部にキャスタを備えることから使用時、不使用時の双方においてボード類を取り付けたままの運搬移動が容易であり、更に、支持用パイプ枠部と、補助パイプ枠部とは折り畳み可能であるため不使用時の占有面積も小さくて済むボード支持用脚体を提供することができる。また、この考案によれば、回動ボード支持板等を主とした各構成をロック機構とガイド機構とを併せ持つような機構としたので、簡単、安全に脚部分の開閉を行うことができる。
【００１０】
請求項２記載の考案によれば、請求項１記載の考案の効果を奏することに加えて、補助パイプ枠部の上辺にベルトを介してボード固定用フック部を取り付けたことから、使用時、不使用時の双方においてボード類をボード支持用パイプ枠部に固定安定した状態とすることができるボード支持用脚体を提供することができる。
【００１１】
請求項３記載の考案によれば、請求項２記載の考案の効果を奏することに加えて、ボード固定用フック部にロゴマーク表示部を備えることから、このボード支持用脚体自体の宣伝的機能をも発揮し得るボード支持用脚体を提供することができる。
【考案を実施するための最良の形態】
【００１２】
本考案は、軽量で、ボード類を取り付けたままの運搬移動が容易であり、不使用時の占有面積が小さいという諸機能を有するボード支持用脚体を提供するという目的を、上辺、アジャスタ付きの両側辺を有する矩形状のボード支持用パイプ枠部と、上辺、キャスタ付きの両側辺を有し、前記ボード支持用パイプ枠部の両側辺に対して上辺両隅部を回動可能に連結した矩形状の補助パイプ枠部と、ほぼ直方体板状に形成され、前記補助パイプ枠部の両側辺に対して後端両側を回動可能に連結し、中央に設けたスライド用溝部に前記ボード支持用パイプ枠部の両側辺間に架設した中継パイプを挿通してスライド可能とし、先端側にボード受部及び粉受兼ペン受を具備し、前記後端側にボード受辺を突設した回動ボード支持板と、前記補助パイプ枠部の上辺にベルトを介して取り付けたボード固定用フック部とを有する構成により実現した。
【実施例】
【００１３】
以下に、本考案の実施例を詳細に説明する。
図１乃至図３は、本実施例のボード支持用脚体１を示すものであり、図１はボード支持用脚体１の開脚状態、図２はボード支持用脚体１の閉脚（折り畳み）状態、図３は開脚状態で、且つ、ホワイトボード等のボード類７を支持した状態を各々を示すものである。
【００１４】
前記ボード支持用脚体１は、矩形状を呈するボード支持用パイプ枠部２と、このボード支持用パイプ枠部２に対して回動可能に連結した矩形状を呈する補助パイプ枠部３と、回動ボード支持板４と、ベルト６付きのボード固定用フック部５とを有し、前記回動ボード支持板４により例えばホワイトボード等のボード類７の底部を、前記ボード支持用パイプ枠部２の上部領域でボード類７の背面を各々支持するようになっている。
【００１５】
前記ボード支持用パイプ枠部２は、図４、図５に示すように、上辺パイプ１１、この上辺パイプ１１の両端に上端を溶接した両側辺パイプ１２ａ、１２ｂ、両側辺パイプ１２ａ、１２ｂ間に前記上辺パイプ１１と平行にネジ止めにより架設した中継パイプ１３、両側辺パイプ１２ａ、１２ｂの上部に各々嵌装した例えば発泡ウレタン製で筒状の一対のグリップ１４、前記両側辺パイプ１２ａ、１２ｂの底部に各々取り付けた図７に拡大して示すようなアジャスタ１５を具備し、全体として幅６００ｍｍ程度、高さ１３００ｍｍ程度の矩形状を呈する形状に形成している。前記アジャスタ１５の外周には図７に示すようにシボ加工を施している。
【００１６】
前記補助パイプ枠部３は、図４、図６に示すように、上辺パイプ２１、この上辺パイプ２１の両端に上端を溶接した両側辺パイプ２２ａ、２２ｂ、両側辺パイプ２２ａ、２２ｂ間に架設した中継パイプ２３、両側辺パイプ２２ａ、２２ｂ間に架設した下部中継パイプ２５、両側辺パイプ２２ａ、２２ｂの底部に各々取り付けた図８に示すような拡大して示すようなキャスタ２４を具備し、全体として幅５５０ｍｍ程度、高さ９７０ｍｍ程度の矩形状を呈する形状に形成している。
【００１７】
前記回動ボード支持板４は、図９乃至図１２に部分的に又は断面で示すように、ほぼ直方体板状に形成した支持板本体３１を具備し、前記補助パイプ枠部３の両側辺パイプ２２ａ、２２ｂに対して支持板本体３１の後端両側をヒンジ部４１を介して回動可能に連結し、支持板本体３１の両側部下側に設けた長穴状のスライド用溝部３２に前記ボード支持用パイプ枠部２の中継パイプ１３を嵌装して、前記両側辺パイプ２２ａ、２２ｂにより支持されつつ補助パイプ枠部３に対してスライド可能に配置して、図３に示すほぼ水平状態と、図２に示す垂下状態との範囲にわたって回動するようになっている。
【００１８】
また、回動ボード支持板４は、上面先端側にＵ溝状のボード受部３３及び弧状溝状の粉受兼ペン受３４を具備するとともに、支持板本体３１の後端側にＬ型折曲形状のボード受辺３５を突設している。前記ボード受部３３、ボード受辺３５は、各々前記ボード類７の底部を受けて支持する機能を有するものである。
【００１９】
更に、支持板本体３１の前記ボード受部３３とボード受辺３５との間の上面領域には、図９に示すようにシボ加工部３１ａ（図１０において微小な細線で示す）を設けている。また、前記粉受兼ペン受３４の隅部に設けたペン等用の落下防止部材３６の上面領域にもシボ加工部３６ａ（図９においてクロス斜線で示す）を設けている。
【００２０】
前記ボード固定用フック部５は、図１３乃至図１６に示すように、正面形状がほぼ台形状で、側面形状がほぼ逆Ｌ字状のフック部本体５１を具備し、このフック部本体５１の正面部５１ａから上面部５１ｃにわたって会社名、商品名等を表示するためのロゴマーク表示部５２、ベルト６挿通用の長方形状のベルト穴５３を設けている。
【００２１】
また、ベルト穴５３の下部にはベルト穴５３に挿通するベルト６の曲がり具合を滑らかにするための弧状突起群５４を設けている。フック部本体５１の背面部５１ｂ側は、図１６に示すように、前記正面部５１ａに対して所定の間隔を持って屈曲させ、正面部５１ａと背面部５１ｂとの間に前記ボード類７の上部を掛け止めするフック機能を持たせている。更に正面部５１ａと背面部５１ｂとを連結する上面部５１ｃの下面には、前記ボード類７の上部との接触面積を小さくするための小突起群５１ｄを設けている。
前記フック部本体５１における正面部５１ａ、上面部５１ｃ、背面部５１ｂには、前記ロゴマーク表示部５２、弧状突起群５４の領域を除き、図１３、図１４、図１５でクロス斜線で示すシボ加工部５５を設けている。
【００２２】
前記ベルト６は、例えば長さ９００ｍｍ程度、幅３０ｍｍ程度に形成し、一端側を前記補助パイプ枠部３の上辺パイプ２１の中央部に連結し、他端側を前記ベルト穴５３に挿通して折り返し、その端部を図１３に点線で示すように例えば面ファスナー又は縫製等でベルト６の図１３において上部側に固着して、これにより、フック部本体５１から離脱しないように構成している。
【００２３】
次に、上述した構成のボード支持用脚体１の作用を説明する。
（開脚状態）
この場合には、図１、図３に示すように、前記ボード支持用パイプ枠部２の両側辺パイプ１２ａ、１２ｂに設けたアジャスタ１５と、前記補助パイプ枠部３の両側辺パイプ２２ａ、２２ｂに設けたキャスタ２４とが各々床面５０に接する状態としつつ、前記補助パイプ枠部３を、前記ヒンジ部４１により支持しつつボード支持用パイプ枠部２に対して後方に開脚した状態とする。
【００２４】
このとき、前記回動ボード支持板４は、その後端側を中継パイプ２３を介して回動可能に支持されつつ前記ボード支持用パイプ枠部２の中継パイプ１３が前記支持板本体３１に設けたスライド用溝部３２の最先端側に位置する状態となって、前記回動ボード支持板４はほぼ水平状態となる。
【００２５】
これにより、前記支持板本体３１のボード受部３３によりボード類７の底部を受けて支持し、また、前記ボード支持用パイプ枠部２の両側辺パイプ１２ａ、１２ｂに嵌装したグリップ１４にボード類７の背面側を当接する状態としてこのボード類７を図３に示すようにボード支持用パイプ枠部２の上部領域において支持することができる。
【００２６】
更に、一端側を前記補助パイプ枠部３の上辺パイプ２１の中央部に連結した前記ベルト６の他端側に配置しているボード固定用フック部５の正面部５１ａと背面部５１ｂとの間にボード類７の上端中央部を嵌め込むことにより、図３に示すように、ボード類７をボード支持用パイプ枠部２の上部領域においてボード固定用フック部５、ペルト６を用いて固定した状態で支持することができる。
【００２７】
この状態においてボード類７をボード支持用脚体１とともに移動しようとする場合には、前記両側辺パイプ１２ａ、１２ｂに設けたアジャスタ１５側を床面５０から少し浮かせ、前記キャスタ２４の回転を利用することで容易にボード類７をボード支持用脚体１とともに目的箇所に移動することができる。
（閉脚状態）
この場合には、前記補助パイプ枠部３を前記ヒンジ部４１を利用してボード支持用パイプ枠部２側に回動させ、図２に示すように、前記ボード支持用パイプ枠部２の両側辺パイプ１２ａ、１２ｂの間に、前記補助パイプ枠部３を幅方向に重なり合うに畳み込む。
【００２８】
このとき、前記回動ボード支持板４は、その後端側を中継パイプ２３を介して回動し前記ボード支持用パイプ枠部２の中継パイプ１３が前記支持板本体３１に設けたスライド用溝部３２の後端側に位置する状態となって、図１７に示すように、前記回動ボード支持板４はほぼ垂直状態に垂れ下がる。
【００２９】
また、前記補助パイプ枠部３のボード受辺３５は前記両側辺パイプ１２ａ、１２ｂよりも少し前方に突出する状態となり、これにより、ボード受辺３５によりボード類７の底部を受けて支持し、また、前記ボード支持用パイプ枠部２の両側辺パイプ１２ａ、１２ｂに嵌装したグリップ１４にボード類７の背面側を当接する状態としてこのボード類７を図２に示すようにボード支持用パイプ枠部２の上部領域において支持することができる。
【００３０】
更に、一端側を前記補助パイプ枠部３の上辺パイプ２１の中央部に連結した前記ベルト６の他端側に配置しているボード固定用フック部５の正面部５１ａと背面部５１ｂとの間にボード類７の上端中央部を嵌め込むことにより、図２に示すように、ボード類７をボード支持用パイプ枠部２の上部領域においてボード固定用フック部５、ペルト６を用いて固定した状態で支持することができる。
【００３１】
このような折り畳み状態において、ボード類７をボード支持用脚体１とともに移動しようとする場合には、前記キャスタ２４の回転を利用することで容易にボード類７をボード支持用脚体１とともに折り畳み状態で、且つ、ボード類７を取り付けたまま目的箇所に移動し、省スペースの状態でそのまま保管することができる。
【産業上の利用可能性】
【００３２】
本考案は、上述したホワイトボード、黒板、電子黒板等の支持用脚体として適用する他、文字情報や写真等を掲示する掲示板やポスタ類等用として幅広く適用可能である。
【図面の簡単な説明】
【００３３】
【図１】本考案の実施例のボード支持用脚体の開脚状態の斜視図である。
【図２】本実施例のボード支持用脚体の閉脚状態の斜視図である。
【図３】本実施例のボード支持用脚体の開脚状態の側面図である。
【図４】本実施例のボード支持用脚体のボード支持用パイプ枠部、補助パイプ枠部の枠組を示す部分説明図である。
【図５】本実施例のボード支持用脚体のボード支持用パイプ枠部の一部省略正面図である。
【図６】本実施例の補助パイプ枠部の一部省略正面図である。
【図７】本実施例のアジャスタの拡大正面図である。
【図８】本実施例のキャスタの拡大正面図である。
【図９】本実施例の回動ボード支持板の部分拡大図である。
【図１０】図９のＡ−Ａ線断面図である。
【図１１】図９のＢ−Ｂ線断面図である。
【図１２】図９のＣ−Ｃ線断面図である。
【図１３】本実施例のボード固定用フック部、ベルトを示す一部省略拡大正面図である。
【図１４】本実施例のボード固定用フック部の拡大正面図である。
【図１５】本実施例のボード固定用フック部の拡大平面図である。
【図１６】本実施例のボード固定用フック部の拡大側面図である。
【図１７】本実施例のボード支持用脚体の閉脚状態におけるボード類の底部の支持状態を示す図である。
【符号の説明】
【００３４】
１    ボード支持用脚体
２    ボード支持用パイプ枠部
３    補助パイプ枠部
４    回動ボード支持板
５    ボード固定用フック部
６    ベルト
７    ボード類
１１    上辺パイプ
１２ａ、１２ｂ  側辺パイプ
１３    中継パイプ
１４    グリップ
１５    アジャスタ
２１    上辺パイプ
２２ａ、２２ｂ  側辺パイプ
２３    中継パイプ
２４    キャスタ
２５    下部中継パイプ
３１    支持板本体
３１ａ  シボ加工部
３２    スライド用溝部
３３    ボード受部
３４    粉受兼ペン受
３５    ボード受辺
３６    落下防止部材
３６ａ  シボ加工部
４１    ヒンジ部
５０    床面
５１    フック部本体
５１ａ  正面部
５１ｂ  背面部
５１ｃ  上面部
５１ｄ  小突起群
５２    ロゴマーク表示部
５３    ベルト穴
５４    弧状突起群
５５    シボ加工部
【図１】
0003107455.tif 000003
【図２】
0003107455.tif 000004
【図３】
0003107455.tif 000005
【図４】
0003107455.tif 000006
【図５】
0003107455.tif 000007
【図６】
0003107455.tif 000008
【図７】
0003107455.tif 000009
【図８】
0003107455.tif 000010
【図９】
0003107455.tif 000011
【図１０】
0003107455.tif 000012
【図１１】
0003107455.tif 000013
【図１２】
0003107455.tif 000014
【図１３】
0003107455.tif 000015
【図１４】
0003107455.tif 000016
【図１５】
0003107455.tif 000017
【図１６】
0003107455.tif 000018
【図１７】
0003107455.tif 000019